(57)【要約】【課題】  片手で本を保持して当該片手でページをめくる。【解決手段】  本体部２を本１０の所定のページ間でかつ綴じ部１０１の位置に挟み、本体部２の一端に設けられた掛止部３を、本１０の天地方向における一端（天１０２）側に掛止する。また、本体部２の他端に設けられた掴持部４を、本１０の他端（地１０３）側において左右いずれかの手によって本１０の背部１０４を支持しつつ掴持する。そして、支持部６によって、開いた本１０の地１０３側でかつ綴じ部１０１の位置を基点１０６として任意方向に移動自在に支持された押当部５を、手の少なくとも一の指（親指）によって操作し、開いた本１０の左ページ１０Ｌ又は右ページ１０Ｒのいずれかに押し当て、当該押当部５が押し当てられたページを、背後のページに対してずらしつつ浮かせ、この浮いた隙間部に押当部５を挿し込むことによってページをめくる。【選択図】  図２
2005219473.tif 000002
【特許請求の範囲】
【請求項１】
本の所定のページ間でかつ綴じ部の位置に挟まれる本体部と、
本体部の一端に設けられ、本の天地方向における一端側に掛止される掛止部と、
本体部の他端に設けられ、本の天地方向における他端側において左右いずれかの手によって本の背部を支持しつつ掴持されることが可能に構成された掴持部と、
前記手の少なくとも一の指による操作に応じて、開いた本の左右いずれかのページに押し当てられ、当該押し当てられたページを背後のページに対してずらしつつ浮かせる押当部と、
基端が本体部に固定され、前記開いた本の他端側でかつ綴じ部の位置を基点として前記押当部を任意方向に移動自在に支持する支持部とを備えることを特徴とするページめくり器。
【請求項２】
前記支持部は、押当部を前記基点の上方位置でかつ当該押当部の一部又は全部がページの端辺より内側に入る位置に向けて付勢可能に弾性的に支持することを特徴とする請求項１記載のページめくり器。
【請求項３】
前記押当部は、前記ページへの押し当て力に応じてページ面に対して摺接可能及び吸着可能に構成されるとともに、前記浮かされたページの隙間部に挿し込み可能に構成されてなるものであって、前記支持部によって、当該押当部に指が載置された状態で前記任意方向に移動自在に支持されることを特徴とする請求項１又は２記載のページめくり器。
【請求項４】
前記本体部の長手方向の長さを変化させるための変化手段をさらに備えることを特徴とする請求項１〜３のいずれかに記載のページめくり器。
【請求項５】
前記掛止部は、前記本体部の一端から掴持部側に向けて延設されてなるものであって、先端側を本の背部に対向させた状態で前記本の一端側に掛止することを特徴とする請求項１〜４のいずれかに記載のページめくり器。
【発明の詳細な説明】
【技術分野】
【０００１】  本発明は、本のページをめくるページめくり器に関し、特に、片手のみで本を保持してページをめくるページめくり器に関する。
【背景技術】
【０００２】  従来、本を見開いた状態で所定の台（本台）上に載置（固定）し、当該台上に載置された状態の本を、片手で順にページをめくりながら読むことが可能に構成された書見台が開示されている（例えば、特許文献１参照）。
【特許文献１】  特開２００３−３５６号公報
【発明の開示】
【発明が解決しようとする課題】
【０００３】  しかしながら、上記従来の技術では、台上に載置された状態の本のページを片手でめくることはできたとしても、本自身を片手で保持し、この本を保持した手を用いて当該本のページをめくること、例えば、電車の中などにおいて、一方の手で吊り輪等に掴まり、もう片方の手で本を保持してページをめくりつつ本を読むといったことは困難であった。仮に、台上に載置された状態の本を（この台と共に）片手で持って読むことができたとしても、重くかつ持ち難くて長時間保持することは難しい。また、台等を備えて大きなものとなるため、持ち運びや、例えば人で混雑しているような狭い場所での使用が容易でなく、例えば外出時に携帯しておき、本を読みたい時に素早く鞄等の中から当該本と共に取り出し、読み終えた後、そのまま本を閉じて直ちに鞄等の中に仕舞い込むといったことが容易に行えないというように、取り扱い難いものであった。【０００４】  ところで、一般的に、本のページをめくる場合、読み進む方向（例えば見開いた本の左側）にページをめくるだけでなく、前のページに戻る方向（同本の右側）にもページをめくることが要求されることがある。【０００５】  本発明は上記事情に鑑みてなされたもので、片手で本を持った状態で左右任意の方向にページをめくることが容易に行えるとともに、取り扱い易いページめくり器を提供することを目的とする。
【課題を解決するための手段】
【０００６】  本発明にかかるページめくり器は、本の所定のページ間でかつ綴じ部の位置に挟まれる本体部と、本体部の一端に設けられ、本の天地方向における一端側に掛止される掛止部と、本体部の他端に設けられ、本の天地方向における他端側において左右いずれかの手によって本の背部を支持しつつ掴持されることが可能に構成された掴持部と、前記手の少なくとも一の指による操作に応じて、開いた本の左右いずれかのページに押し当てられ、当該押し当てられたページを背後のページに対してずらしつつ浮かせる押当部と、基端が本体部に固定され、前記開いた本の他端側でかつ綴じ部の位置を基点として前記押当部を任意方向に移動自在に支持する支持部とを備えることを特徴とする。【０００７】  また、前記支持部は、押当部を前記基点の上方位置でかつ当該押当部の一部又は全部がページの端辺より内側に入る位置に向けて付勢可能に弾性的に支持することが好ましい。【０００８】  また、前記押当部は、前記ページへの押し当て力に応じてページ面に対して摺接可能及び吸着可能に構成されるとともに、前記浮かされたページの隙間部に挿し込み可能に構成されてなるものであって、前記支持部によって、当該押当部に指が載置された状態で前記任意方向に移動自在に支持されることが好ましい。【０００９】  また、前記本体部の長手方向の長さを変化させるための変化手段をさらに備えることが好ましい。【００１０】  また、前記掛止部は、前記本体部の一端から掴持部側に向けて延設されてなるものであって、先端側を本の背部に対向させた状態で前記本の一端側に掛止することが好ましい。
【発明の効果】
【００１１】  請求項１記載の発明によれば、本体部が本の所定のページ間でかつ綴じ部の位置に挟まれ、本体部の一端に設けられた掛止部が本の天地方向における一端側に掛止され、また、本体部の他端に設けられた掴持部が本の天地方向における他端側において左右いずれかの手によって本の背部を支持しつつ掴持されることが可能に構成される。そして、押当部が、手の少なくとも一の指による操作に応じて、開いた本の左右いずれかのページに押し当てられて、この押し当てられたページが当該押し当てられたページの背後のページに対してずらしつつ浮かせられる。また、基端が本体部に固定された支持部によって、開いた本の他端側でかつ綴じ部の位置を基点として押当部が任意方向に移動自在に支持される。【００１２】  このように、本体部が本の所定のページ間でかつ綴じ部の位置に挟まれ、本体部の一端における掛止部が本の一端側に掛止されるとともに、本体部の他端における掴持部において、本の他端側における背部が片手によって支持されつつ当該掴持部が掴持される構成であるため、片手のみで本を見開いた状態に保持し、かつこの保持した手の少なくとも一の指をフリーな状態（自由に移動させることが可能な状態）にすることが容易に行えるようになる。そして、押当部が、一の指による操作に応じて、左右いずれかのページに押し当てられて、この押し当てられたページが浮かせられ、当該押当部が、支持部によって、開いた本の他端側でかつ綴じ部の位置を基点として任意方向に移動自在に支持される構成であるため、上記フリーな状態の指によって押当部が操作されてめくりたい側のページが浮かせられ、この浮かせられた箇所のページの隙間部に押当部が挿し込まれるべく当該押当部を移動させることができる。【００１３】  したがって、片手（左右いずれの手でもよい）のみで本を持った状態でかつ当該片手によって左右任意の方向にページをめくることを容易に行うことができるとともに、上記本体部、掛止部、掴持部、押当部及び支持部によって構成されてより簡易な構成となり、ひいては取り扱い易いページめくり器を実現することができる。【００１４】  請求項２記載の発明によれば、支持部によって、押当部が基点の上方位置でかつ当該押当部の一部又は全部がページの端辺より内側に入る位置に向けて付勢可能に弾性的に支持される。このように、支持部によって押当部が付勢されて弾性的に支持されるため、この付勢された押当部からの反発力を利用して一の指で押当部を押しつつ移動させることが可能となり、押当部をページに押し当てて当該ページをずらしつつ浮かせる動作を容易に行うことができる。また、押当部は指を離すと元に位置に復帰し、その復帰された位置が、基点の上方位置でかつ当該押当部の一部又は全部がページの端辺より内側に入る位置、すなわち、本（ページ）の端部にかかる位置となるため、ページめくりを行う都度、押当部をページ内（ページの端辺より内側）に位置させるべく移動させるといった手間を省くことができるとともに、本を読み終えた後など、本を閉じた場合に押当部が本のページ間に挟まった状態となり、押当部を所謂しおりとして用いることができ、前回読んでいたページの続きから読み始めるといったことを容易に���うことができる。【００１５】  請求項３記載の発明によれば、押当部が、ページへの押し当て力に応じてページ面に対して摺接可能及び吸着可能に構成されるとともに、浮かされたページの隙間部に挿し込み可能に構成されてなり、支持部によって、当該押当部に指が載置された状態で任意方向に移動自在に支持される。このように、押当部が、押し当て力に応じてページ面に摺接可能及び吸着可能とされるとともに、隙間部に挿し込み可能とされ、また、押当部に指が載置された状態で当該押当部が移動されるため、押当部をページに押し当てて当該ページをずらしつつ浮かせ、この浮いたページの隙間部へ向けて押当部を移動させ、隙間部に移動されてきたこの押当部を当該隙間部に挿し込むといった動作を容易に行うことができる。【００１６】  請求項４記載の発明によれば、変化手段によって、本体部の長手方向の長さが変化される。これにより、本の長さ（天地方向の長さ）に応じて、当該本のページ間に挟まれる本体部の長さを変化（調節）させることができるため、種々のサイズの本に対して使用可能なページめくり器を実現することができる。【００１７】  請求項５記載の発明によれば、掛止部が本体部の一端から掴持部側に向けて延設されてなり、この掛止部が、当該掛止部の先端側が本の背部に対向された状態で本の一端側に掛止される。これにより、掛止部を本の一端に掛止することを容易に行うことができる。
【発明を実施するための最良の形態】
【００１８】  以下、本発明の実施形態に係るページめくり器について図面を参照して説明する。図１は、本発明の第１の実施形態に係るページめくり器１の一例を示す斜視図である。また、図２は、図１に示すページめくり器１が本１０に装着され、かつ、片手（ここでは右手）によって本が保持されている状態を示す斜視図である。図１、２に示すように、ページめくり器１は、本体部２、掛止部３、掴持部４、押当部５及び支持部６を備えている。【００１９】  本体部２は、本１０の所定のページ（頁）間（ここでは中央ページ付近のページ間）で、かつ、本の綴じ部（所謂のど部、見開いた本の中央部）の位置（以降、綴じ部１０１とする）に挟まれるものである。ただし、上記ページとは、裏面及び表面を含む１枚の紙（１葉）のことを示すものとする。また、上記本１０は、複数枚のページからなり、これらページの一端側の辺が綴じられてなるものであり、例えば、文庫本や単行本、また、週刊誌等の雑誌類、あるいは、所定のノートブック（又はメモ帳）やスケッチブックといったものである。【００２０】  本体部２は、ステンレス鋼等の金属材質からなり、略直線状に形成された棒状体、例えば断面視略円（真円）形状の所謂丸棒からなる。この場合、棒状体が例えば針金等の線状体からなるものでもよい。ただし、本体部２は、曲げ、捻り及び引っ張り（伸び）等に対する強度がより高い材質で、かつ、本１０に挟んだときに錆び等の汚れが当該本１０に付着しないものであることが好ましい。また、本体部２は、ページめくり器１を本１０に装着する際、少し撓ませることが可能となる程度に可撓性（弾性力）を有していてもよい。また、本体部２は、本１０のページ間に挟まれたときの当該ページ間の隙間（間隔）がより小さくなるような厚み（径、幅）を有するもの、換言すれば、本体部２を本１０のページ間に挟んだ状態で、本体部２を越えて左側（右側）のページを右側（左側）へ向けてめくる動作が行い易い太さ（細さ）となっているものであることが好ましい。【００２１】  また、本体部２の長手方向の長さは、本１０の種類に応じて予め決められた長さとされていてもよく、例えば文庫本用、単行本用の長さであってもよい。ただし、必ずしも本体部２の長さが本のサイズと一致していなくともよく、本の天地方向の長さよりも本体部２の長さの方が大きい場合であっても、本に装着してページめくりが行える範囲で使用することができる。なお、以降、図２に示すように、本体部２を境として（挟んで）、見開いた本１０の右側に位置するページ（最上ページ）を右ページ１０Ｒとし、左側に位置するページを左ページ１０Ｌとする。【００２２】  上記本体部２の形状は一例に過ぎず、例えば、断面形状が楕円や角形（例えば四角形）、又はこれ以外の任意形状である棒状体であってもよい。また、本体部２は、一部又は全部に屈曲部（湾曲部）を有するような形状であってもよいし、例えば帯状に延びてなる板状体であってもよい（これらの場合も「棒状」のものに含む）。また、上記本体部２の材質も一例に過ぎず、ステンレス鋼以外に例えば真鍮、鉄、アルミニウム等であってもよいし、樹脂成形材（プラスチック；強化プラスチック）、木や竹、焼き物（例えばセラミック）、��はガラスといった非金属材質からなっていてもよい。本体部２が例えば錆びが出やすい鉄製等である場合には、本に汚れが付着しないように、この鉄材の表面に錆び等の出ない所定材質の被覆（例えばメッキ）がなされていてもよい。なお、本体部２は、上記棒状体といったより簡易な構成とすることができるため、本体部２（ページめくり器１）の軽量化をより図ることができ、また、本１０のページ間に挟み易くなる。【００２３】  掛止部３は、本体部２の一端（先端）に設けられ、本１０における、天地方向（符号Ａに示す矢印方向）の一端側、例えば天側の端部に掛止するものである。ただし、「天」とは、本１０における符号１０２に示す側（以降、天１０２という）、「地」とは、符号１０３に示す側（以降、地１０３という）を示している。【００２４】  掛止部３は、本体部２の先端から掴持部４側に向けて延設されてなり、本体部２の先端から掴持部４側に向けて折り返されたような形状、例えば略Ｕ字状に形成された腕部３１（腕部３１は、本体部２が延びてなるもの、又は本体部２に別部材として接合されるものであってもよい）と、この腕部３１の先端側において、本体部２に対して略平行に配置された平面部を有し、本１０の背部１０４と係合される係合部３２とを備えている。ここでは、係合部３２は、上面視略四角形状（例えば長方形状や正方形）をした板状体からなっている。なお、腕部３１は、上記Ｕ字状でなくともよく、例えばコ字状やＶ字状に形成されたものであってもよい。【００２５】  ここで、図３に、本１０に掛止された状態の掛止部３の拡大斜視図を示す。図３に示すように、掛止部３は、本１０の一端側（天１０２側の端部）において、係合部３２が背部１０４に対向し、かつ当接した状態で掛止される。すなわち、掛止部３は、本１０の所定のページ間でかつ綴じ部１０１における、本１０の上面側から下面（背部１０４）側にかけての端部に、本体部２の先端に形成されたフック状（例えばＪ字状）のものを引っ掛ける形態で掛止される。【００２６】  上記係合部３２の形状は、四角形状に限らず、例えば三角形や五角形、ひし形といった多角形状、星形のような多角形状、円形状（例えば真円、真円でない円；例えば楕円）、卵、雫、扇等の形状、フォーク形状、車、飛行機、船等の形状、家、ビル等の建築物の形状、花、葉、魚、犬や猫等の動・植物に関する形状、あるいは所定の人物やキャラクターの形状等、種々の形状が採用されてもよい。【００２７】  また、係合部３２は、天地方向と垂直な方向の両端部３２１が、本１０の表紙側（背表紙側）に向けて（図３の符号Ｂに示す矢印方向に）湾曲されていてもよいし、また、係合部３２の先端部３２２が、背部１０４と反対側に（符号Ｃに示す矢印方向に）湾曲されて（反って）いてもよい。係合部３２の先端部３２２に当該湾曲部が形成されていることにより、掛止部３を本１０の一端部に掛止する際、係合部３２の先端部３２２が背部１０４等に当接して挿し込み難くなるといったことが防止される。また、係合部３２の各角部は、当該角部が本１０（背部１０４）や手等に当接して傷付けてしまうといったことを防止するべく、例えば面取り（Ｒ加工）されていてもよい。また、掛止部３は、係合部３２���先端部３２２側から腕部３１の先端が突出された形状であってもよいし、腕部３１と係合部３２とが一体に形成されてなるものであってもよい。さらに、掛止部３の表面、少なくとも係合部３２における背部１０４と対向する面には、当該掛止部３（係合部３２）が背部１０４に対して滑らないように（ページめくり器１の本１０への装着時にぐらつかないように）、所定の滑り止め剤が塗布されていたり、又は例えばゴム（ラバー）材等の摩擦係数が高い材質で被覆（コーティング）されていてもよい。【００２８】  掴持部４は、本体部２における上記掛止部３と反対側の端部（基端、他端）に設けられ、本１０の天地方向における地１０３側（他端側）において、左右いずれかの手によって本１０の背部１０４を支持しつつ掴持（把持）されることが可能に構成されたものである。掴持部４は、側面視略Ｓ字状に本体部２の下方に向けて湾曲された形状をしている。なお、掴持部４は、本体部２の基端が延びてなるもの、すなわち、掴持部４と本体部２とが一体的に形成されたものでもよいし、本体部２に別部材として接合されたものであってもよい。【００２９】  ここで、上記手（片手）によって本１０の背部１０４を支持しつつ掴持部４を掴持することについて、図４を用いて説明する。図４は、上記図２における、ページめくり器１が本１０に装着され、かつ、ユーザの片手（ここでは右手）によって本１０が保持されている状態を概略的に示す側面図である。図４に示すように、本１０にページめくり器１が装着された場合、掴持部４は、本体部２の地１０３側でかつ背部１０４の下方に配置される。掴持部４は、例えば押当部３を操作する指（例えば親指）以外の指によって掴持される（ただし、必ずしも４本の指でなくともよく、３本や２本の指で掴持されてもよい）。このように掴持部４を掴持する指のうちの少なくとも一の指（例えば中指）が背部１０４に当接し（本１０の背部１０４以外の部位に当接してもよい）、この当接する位置が支持点１１０として本１０が支持される。【００３０】  一方、本１０の天１０２側は、上述のように掛止部３が掛止され、係合部３２（又は腕部３１）が背部１０４に当接し、この当接する位置が支持点１２０として本１０が支持される。この場合、地１０３側の支持点１１０を支点として、本１０の天１０２側が掛止部３によって符号Ｄに示す矢印方向に吊り上げ（持ち上げ）られるようにして支持される。これにより、片手によって、掴持部４を掴持してページめくり器１を持つことと、本１０を支持する（持つ）こととが同時に行えるようになる。【００３１】  また、本１０の天１０２側が自重によって下方（符号Ｅに示す矢印方向）に下がろうとする力（当該下がろうとする力に抗して持ち上げようとする力）が、掛止部３、本体部２、掴持部４、及び掴持部４を掴持している手、を順に介して伝達され、本１０の地１０３側における下方（背部１０４）から上方（符号Ｆに示す矢印方向）に向けて力が作用する。このとき、本１０が手側（例えば中指）に寄り付いてくる（密着してくる）ようになり、本１０の支持点１１０における支持が安定する。このように、本１０の天１０２側が下に下がろうとする力が、本１０の地１０３側で本１０を下から支持��ようとする力に利用されるため、ユーザは、掴持部４を持って本１０を下方から支持することに注力すればよく、これにより、より容易にかつ確実に本１０を支持することができる。【００３２】  なお、背部１０４を支持する際、例えば上記中指全体を使用して当接面を大きくするように、具体的には、上記図２に示すように、中指の付け根付近（基端側）を背部１０４に当接しつつ中指の指先付近（先端側）を本１０の表紙部（例えば左ページ１０Ｌの表紙部）に当接するようにして支持することにより、本１０の（上下方向や左右方向等の）ぐらつきを確実に防止することができ、本１０を安定して支持することができる。また、手の人差し指は、本１０の右ページ１０Ｒの表紙側（例えば符号１０５に示す位置）に介添えして（当接して）おくことにより、本１０をより安定して支持できるようになる。【００３３】  また、ユーザは、掴持部４を手で掴持しつつ、この手の少なくとも一の指によって本を背部１０４側から支持すればよいため（見開かれた本１０を左右両側から持つような状態で本１０を支持する必要がなくなるため）、当該掴持した手における、押当部５を操作するための指（上記フリーな状態の指）を容易に確保することができ、片手で本１０を保持した状態で、かつ、当該本１０を保持している片手を用いてページをめくる動作を行うことが可能となる。【００３４】  上記図４に示すようにページめくり器１を本１０に装着する手順の一例としては、まず掛止部３側を本１０に掛止し（掛止しつつ）、次に掴持部４側を背部１０４の下方位置にもってくるようにしてもよい。この場合、より具体的には、係合部３２の先端部３２２が背部１０４の天１０２側の端辺にかかるように、本１０の天１０２側でかつ綴じ部１０１のページ間に向けて、本体部２を本１０（の天地方向）に対して傾斜させた状態で挿し込み、この本体部２を地１０３側に引っ張りつつずらし、係合部３２が背部１０４と対向した状態となるまで移動させ、上記図３に示すように掛止部３を本１０の天１０２側の端部に掛止する。次に、掴持部４が本１０の外側に向けて開くように本体部２（掴持部４）を撓ませつつ当該掴持部４を、背部１０４の下方位置へ移動させていく。【００３５】  ところで、掴持部４は、側面視略Ｓ字状に湾曲された形状でなくともよく、例えば指を挿入するための環状部（孔部）を１個又は複数個備えた形状（環状部に指を挿入せず、外側から把持してもよい）、所定数の山（谷）を有する所謂波形状、あるいは単なる直線形状であってもよい。また、掴持部４が１本の部材から構成されるのではなく、複数本の部材から構成されるもの、例えば二股、三股状に（枝状に）形成されたものであってもよいし、手の指（例えば指の腹；掴持部４に当接する部分）の形状に合わせて立体的に形成されてなるもの、所謂グリップ付きのものでもよい。また、より確実に掴持部４を掴持する（手で持って固定する）ためなど用に所定のバンド（帯状体又は紐体）が設けられた構成であってもよい。さらに、これら各構成が組み合わされてなる形状であってもよい。また、掴持部４は、上記本体部２と同様に金属、樹脂（プラスチック）、木、ガラスなど種々の材質が採用される。また、掴持部４の表面に所定材質の被覆がなされていてもよい。いずれにしても、掴持部４は、片手によって本１０を支持しつつ掴持されることが容易にかつ確実に行える構成であればいずれの形状や材質であってもよい。【００３６】  押当部５は、本１０を保持した状態の手（左右いずれかの手）の少なくとも一の指（例えば親指）による操作に応じて、見開いた本１０の左右いずれかのページに押し当てられ、この押し当てられたページを、当該押し当てられたページの背後（下方）のページに対して位置をずらしつつ浮かせる（浮き上がらせて背後のページとの間に隙間部をつくる）ものである。また、押当部５は、上記左右いずれかのページへの押し当て力に応じて、この押し当てたページ表面に対して摺接（摺動）可能及び吸着可能に構成されるとともに、上記浮かされたページの隙間部に挿し込み可能に構成されているものでもある。なお、押当部５は、押当部５に指（例えば親指）が載置された状態で操作されることが好ましい。【００３７】  ここで、図５に押当部５の拡大図を示す。図５に示すように、押当部５は、外形視が例えば柿の種のような形状をしてなる舌片体である。押当部５は、側面視（符号５ａに示す図）、略楕円が引き伸ばされてなる細長い楕円状でかつ僅かに屈曲した形状であり、上面視（符号５ｂに示す図）、略細長い楕円状（又は細長い葉形状；先端及び後端が先細になっている）をしている。また、正面視（符号５ｃに示す図）あるいは断面視（縦断面視）が、略楕円（長楕円）形状となっている。具体的には、押当部５の先端部５１は、側面視略円弧状（略Ｕ字状）、上面視略Ｖ字状（鋭角）となるように先細に（尖って）形成されている。一方、押当部５の基端部５２は、後述する支持部６の先端側の円弧状の形状に沿って連続されるように下方へ向けて曲がりつつ先細に形成されている。押当部５の上部５３は、指を載置し易い形状、例えば平面状の部分（平坦部５３１）を有した形状になっていてもよいし、平坦部５３１の無い、例えば断面視略円弧状（逆Ｕ字状）に形成されていてもよい。また、指が載置されたときの摩擦力（グリップ力）を増加させるべく、上部５３に例えば側面視略波状や鋸歯状、格子状といった凹凸部や所謂ディンプル形状の凹凸部、あるいは上面視横方向や縦方向の複数の筋部（溝部）が形成されていてもよい。【００３８】  また、押当部５の側面部５４は、本１０のページ表面に押し当てた（押し付けた）状態で当該ページをずらしつつ浮かせる動作がより確実に行えるような形状となっていることが好ましく、例えば、側面部５４に、平面状に形成された部分（平坦部５４１）が形成され、本１０の左（又は右）のページ表面に対し、より広い接触面積で押し当てたい場合などに対応可能とされていてもよい。あるいは、側面部５４が、平坦部５４１の無い例えば断面視略円弧状に形成されていてもよい。また、押当部５の下部５５は、先端部５１近傍（例えば符号５５０に示す位置）が下方に向けて先細に（断面略Ｖ字状に）形成されており、押当部５を上記ページ間の隙間部に挿し込み易くなるようにされている。ただし、下部５５の中央部あるいは基端部５２は、例えば断面略Ｕ字状に形成されていてもよい。さらに、押当部５は、先端部５１が上向きに（符号Ｇに示す矢印方向）に湾曲されており、後述の図６で説明するように、押当部５が隙間部により挿し込み易くされている。【００３９】  なお、押当部５の先端部５１は上記略Ｖ字状に形成されているが、この先端部５１の両側の側面部５１１を、見開いた本１０の左右ページ１０Ｌ、１０Ｒの地１０３側の端辺部（周縁部）に押し当てるようにして当該ページを内側に向けて押し込みながら、ページ間に隙間部を形成してページめくりを行う構成であってもよい。これらのように、押当部５は、隙間部に挿し込むことが可能な構成とされている。【００４０】  押当部５は、ページ面に押し当てる力に応じて、ページ表面に対して摺接可能及び吸着可能となる材質から形成されている。ここでは、押当部５は、所定のゴム材から形成されている。ただし、上記本体部２と同様に、金属、樹脂（プラスチック）、木、ガラスなど種々の材質が採用されてもよい。ただし、例えばガラス等のページ表面に対して滑り易い材質である場合、この材質の表面に、滑り難い材質からなる被覆がなされることが好ましい。また、押当部５の表面に、さらに所定の滑り止め剤等を塗布する構成であってもよい。いずれにしても、押当部５は、後述するように、ページに隙間部を形成するときにはページ表面に対して吸着して当該ページと共に移動し、また、隙間部に向けて移動させるときには、ページ表面を摺接しながら移動することが行い易い材質であることが好ましい。【００４１】  押当部５は、後述の図６に示すように、閉じられた状態の本１０のページ間に挟まれた場合に本１０の厚みが大きくならないように、かつ、指で操作されるのに十分な強度を有するとともに、指が好適に載置し得るような横幅５３２（厚み）となるように形成されることが好ましい。一方、押当部５の縦幅５４２は、指が載置された状態で本１０のページに当接された状態において、当該上部５３に載置された指（の腹）と、本１０のページ表面との距離がより短くなるように形成されることが好ましい。これにより、押当部５がページ表面に押し当てられたときにぐらつかず、指の動きを当該ページに対してより確実に伝えることができ、換言すれば、ユーザは、押当部５を介さずに自分の指を直接ページ表面に押し当てたような感覚で操作することができ、ページめくりをより容易にかつ確実に行うことができるようになる。【００４２】  また、押当部５の形状は、上記の形状に限らず、指によって操作され、ページ表面に押し当てられてページをめくることが可能な形状であれば、種々の形状が採用される。例えば、押当部５の形状を、三角形や四角形（正方形、長方形、台形あるいは菱型等）、あるいは五角以上の多角形、円（真円）形、単なる楕円、卵形、涙（ティアドロップ）形、雲形であってもよい。また、直線状、板状（シート状）、環状（リング状；例えばドーナツ状）、２つ以上の孔部を有する形状、Ｃ字状（馬蹄形状）又はコ字状に一方が開口したような形状、中央部が凹状になった所謂ヘモグロビン（赤血球）のような形状、これらを変形させた形状（例えば屈曲した形状、延びた形状）、あるいは、これらを互いに組み合わせた形状であってもよい。なお、断面形状が左右対称でなく、非対称な形状であってもよい。例えば片側のみ円���状となったもの、あるいは一方側に向けて屈曲した形状であってもよい。【００４３】  また、押当部５における指が載置される場所は、押当部５の最上部でなくともよく、例えば上記Ｃ字状の開口部の部位、すなわち、中間部や下部の位置等に載置されてもよい。また、載置するのではなく、例えば指を、押当部５の側面部に押し付けるようにして操作可能な形状、例えばこの側面部に所定形状の凹部（又は上下２箇所の凸部）を設け、この凹部（窪み）に当該指の側面又は腹を嵌入して（押し付けて）操作するものであってもよい。押当部５は、このように種々の形状が採用される。【００４４】  上述のように、押当部５は、摺接可能及び吸着可能とされ、かつ隙間部に挿し込み可能とされ、また、押当部５に指が載置された状態で当該押当部５が移動される構成であるため、押当部５をページに押し当てて当該ページをずらしつつ浮かせ、この浮いたページの隙間部へ向けて押当部５を移動させ、隙間部に移動されてきたこの押当部５を当該隙間部に挿し込むといった動作を容易に行うことができる。【００４５】  支持部６は、その基端が本体部２に固定され、開いた本１０の地１０３側でかつ綴じ部１０１の位置、すなわち、図２における符号１０６に示す位置を基点（以降、基点１０６という）として、押当部５を任意方向に移動自在に支持するものである。支持部６は、例えば指（例えば親指）が載置された状態で操作される押当部５を上記任意方向に移動自在に支持する。ただし、この任意方向に移動自在とは、図２における符号Ｈ、Ｉ、Ｊ、Ｋにそれぞれ示すように上下方向、左右方向、前後方向、斜め方向に、直線的な移動、あるいは非直線的な移動（例えば下方に移動しつつ前方や左方へ移動する移動）が自由に行えるということである。なお、本体部２に対する支持部６の基端の固定位置は、必ずしも本体部２の基端（端部）位置でなくともよく、例えば本体部２の中央位置（近傍）であってもよい。この場合、支持部６を、当該支持部６の基端側を本体部２の中央位置に固定しておき、本体部２に沿って基点１０６側へ延ばし、ページの端辺１０７の位置辺りで上方へ向けて曲がったような形状としてもよい。いずれにしても、支持部６が、ページをめくるときの障害にならないように本体部２へ固定されていればよい。【００４６】  また、支持部６は、押当部５を基点１０６の上方位置でかつ当該押当部５の一部（例えば中央部から先端部５１にかけて）又は全部がページの端辺１０７より内側に入った位置に向けて付勢可能に弾性的に支持するものである。支持部６は、例えば親指で操作して押当部５を上記任意方向に移動させたとしても、押当部５から指を離すと、押当部５が、図２に示すように、基部１０６の上方位置で、かつ、ページの端辺１０７より内側に入った位置（ホームポジション）に自動的に（自然に）復帰されるように押当部５を支持する。このように、支持部６は、押当部５が指によって押されて任意方向に移動されると、上記ホームポジションに復帰させようとする力を発生させる構成となっており、指で押当部５を押すと、当該指が押当部５からの反発力を受けることができるため、指で押当部５を押しながら移動させることが可能となり、押当部５をページに押し当て��当該ページをずらしつつ浮かせる動作を容易に行うことができる。【００４７】  なお、支持部６は、押当部５を基点１０６の上方位置で支持する場合、必ずしも開いた本１０の左右のページに対する中央（中心）位置、すなわち、左ページ１０Ｌ及び右ページ１０Ｒから等しい距離となる位置に支持されなくともよく、一方側のページに片寄った位置に支持されてもよい。【００４８】  支持部６は、上記付勢可能に弾性的に支持するための、例えば所定のバネ部材からなる弾性体ならなり、具体的にはピアノ線といった線状のバネ鋼からなるものである。ただし、支持部６は、当該ピアノ線でなくともよく、付勢力を発生する材質（金属でも、非金属でもよい）であればいずれの材質でもよく、例えばゴム材や所定の樹脂材からなるものであってもよい。また、ここでは、支持部６の基端側には固定基部６１が設けられており、この支持基部６１によって本体部２に固定される構成となっている。【００４９】  支持基部６１は、例えば樹脂材質からなり、本体部２の基端側（掴持部４の上方）に固着されるとともに、ピアノ線の下端が挿し込まれた状態で当該ピアノ線を固定（固着）している。ただし、支持部６が支持基部６１のような部材を備える必要はなく、ピアノ線等が直接、本体部２に例えば溶接されるなどして固定される構成であってもよい。また、支持部６が本体部２から延設（立設）されて、一体的に形成されていてもよい。この場合、本体部２が支持部６と同じ材質からなっていてもよい。【００５０】  また、支持部６は、上記図１、２に示すように、外側から本体部２（本１０）に向けて（弦が本体部２側を向いている）側面視略円弧状に形成されており、先端側で押当部５を略水平状態に支持可能とされている。支持部６は、このような円弧状に形成されているため、曲がり易くなり、より小さな押圧力で押当部５を綴じ部１０１側へ向けて押して移動させることができる。なお、支持部６の例えば基端側に、より曲げ易くするべく、外側に向けて折れ曲がってなる屈曲部６２が形成されていてもよい。【００５１】  支持部６の形状はこれに限らず、例えば側面視、あるいは正面視が直線状、コ字状、くの字状（Ｌ字状）、Ｕ字状、Ｊ字状、Ｓ字状、波状、折れ線状、螺旋状等、種々の形状が採用される。ただし、上記ピアノ線のような線状のものが曲げられてなる形状でなくともよく、円錐状、円柱状、板状といったように立体的な種々の形状が採用されてもよい。【００５２】  なお、支持部６と押当部５とを互いに固定（接続）する場合、例えば、支持部６の先端側を、押当部５の側面視の形状に応じて例えばＵ字状（コ字状）に折り返した形状としておき、この折り返した部分に例えばゴム材からなる押当部５を被着（溶着）しつつ当該押当部５を成型するという方法で固定してもよい。いずれにしても、支持部６に対して押当部５が回転（支持部６を軸として軸回転）しないように、確実に支持部６に固定されることが好ましい。【００５３】  上述のように、ページめくり器１は、本体部２、掛止部３、掴持部４、押当部５及び支持部６によって構成されており（本１０を載置する台などを有しておらず）、より簡易な構成となっており、ひいては、取り扱い易いページめくり器１とすることができる。【００５４】  次に、本１０を片手で保持した状態でページをめくる動作について、以下、図６、７を用いて説明する。図６は、右手で本１０を保持した状態で、開いた本１０の左ページ１０Ｌ側のページをめくる動作の一例を示す斜視図であり、（ａ）は、押当部５を左ページ１０Ｌに押し当てて隙間部を形成した状態を示す図、（ｂ）は、押当部５を基点１０６側へ向けて移動させて隙間部を大きくした状態を示す図（上方から見た拡大図）、（ｃ）は、押当部５を隙間部に挿し込んだ状態を示す図である。まず、図６（ａ）において、本１０にページめくり器１を装着して本１０を保持した状態（図２参照）において、親指Ｔを押当部５上に載置した状態で、当該押当部５（押当部５の下部５５又は側面部５４；図５参照）を、本１０の地１０３側の端部近傍における左ページ１０Ｌの表面に押し付けて当接させる（左ページ１０Ｌにおけるこの当接した位置を当接点１０８とする）。【００５５】  そして、押当部５を当接点１０８の位置で押し当てながら、左ページ１０Ｌを当該左ページ１０Ｌの背後（下）のページ（背後ページ１００Ｌ）に対して符号Ｌに示す矢印方向にずらしつつ、この当接点１０８と綴じ部１０１との間の左ページ１０Ｌを浮かせ（褶曲させて盛り上がらせ）、背後ページ１００Ｌとの間に隙間部１０９を形成する。なお、押当部５は、左ページ１０Ｌに押し当てられる力に応じて吸着した状態となっており、押当部５が移動に伴って左ページ１０Ｌも共に移動させることができる。【００５６】  次に、図６（ｂ）において、上記図６（ａ）に示す状態の押当部５の位置から、さらに、当該押当部５が押し当てられた左側ページ１０Ｌと共に、基点１０６側（綴じ部１０１側）へ移動させ（符号Ｍに示す矢印方向）、隙間部１０９をより大きくする。そして、押当部５を符号Ｎに示す矢印方向に、左ページ１０Ｌの表面に対して押当部５を摺接（摺動）させつつページの端辺１０７に向けて移動させていく。このとき、親指Ｔによって押当部５をページに押し当てる力を少し抜き、ページ表面との吸着状態を僅かに弱めることによって、隙間部１０９の形成を維持した状態で上記摺接（摺動）させる。そして、押当部５を当該押当部５の先端部５１がページの端辺１０７に差し掛かる位置まで移動させる。【００５７】  さらに、図６（ｃ）に示すように、符号Ｏに示す矢印方向（図６（ｂ）も参照）へ移動させ、押当部５の先端部５１が左ページ１０Ｌの表面側の位置から裏面側の位置にくるように隙間部１０９の中に押当部５（先端部５１）を挿し込む。これにより、押当部５が、右ページ１０Ｒ及び左ページ１０Ｌ間の位置から、左ページ１０Ｌ及び背後ページ１００Ｌ間の位置に移動され、ページがめくられた状態となる。なお、この状態から、押当部５を右ページ１０Ｒ側へ（符号Ｐに示す矢印方向へ）移動させることにより、左ページ１０Ｌと背後ページ１００Ｌとによる見開き状態とすることができる。ただし、この押当部５の移動は、押当部５に親指Ｔを添えた（載置した）状態で親指Ｔの動きに合わせて行われてもよいし、押当部５から親指Ｔが離された状態で、支持部６による押当部５の上記ホームポジションに向けての付勢力（復帰力）に基づく動きに合わせて行���れてもよい。【００５８】  このように、図６に示す動作によって、開いた本１０の左側のページがめくられる。さらに左側へページをめくる場合は、同様に図６（ａ）〜（ｃ）の動作を繰り返せばよい。【００５９】  図７は、右手で本１０を保持した状態で、開いた本１０の右ページ１０Ｒ側のページをめくる動作の一例を示す斜視図であり、（ａ）は、押当部５を右ページ１０Ｒに押し当てて隙間部を形成した状態を示す図、（ｂ）は、押当部５を基点１０６側へ向けて移動させて隙間部を大きくした状態を示す図（上方から見た拡大図）、（ｃ）は、押当部５を隙間部に挿し込んだ状態を示す図である。【００６０】  まず、図７（ａ）において、本１０にページめくり器１を装着して本１０を保持した状態（図２参照）において、親指Ｔを押当部５上に載置した状態で、当該押当部５の下部５５（又は側面部５４）を、本１０の地１０３側の端部近傍における右ページ１０Ｒの表面に押し付けて当接させる（右ページ１０Ｒにおけるこの当接した位置を当接点１１１とする）。この場合、親指Ｔによる押当部５の操作をより行い易くするべく、親指Ｔを、押当部５に対して斜めに載置する、すなわち、押当部５の長手方向の向きと親指Ｔの向きとが交差するように載置してもよい（上記図６の場合もこのように交差させた状態で載置してもよい）。【００６１】  そして、押当部５を当接点１１１の位置で押し付けながら、右ページ１０Ｒを当該右ページ１０Ｒの背後（下）のページ（背後ページ１００Ｒ）に対して符号Ｑに示す矢印方向にずらしつつ、この当接点１１１と綴じ部１０１との間の右ページ１０Ｒを浮かせ（褶曲させて盛り上がらせ）、背後ページ１００Ｒとの間に隙間部１１２を形成する。なお、押当部５は、右ページ１０Ｒに押し付けられる力に応じて吸着した状態となっており、押当部５が移動に伴って右ページ１０Ｒも移動させることができる。【００６２】  次に、図７（ｂ）において、上記図７（ａ）に示す状態の押当部５の位置から、さらに、当該押当部５が押し当てられた右ページ１０Ｒと共に、基点１０６側（綴じ部１０１側）へ移動させ（符号Ｒに示す矢印方向）、隙間部１１２をより大きくする。そして、押当部５を符号Ｓに示す矢印方向に、右ページ１０Ｒの表面に対して押当部５を摺接（摺動）させつつページの端辺１０７に向けて移動させていく。このとき、親指Ｔによって押当部５をページに押し当てる力を少し抜き、ページ表面との吸着状態を僅かに弱めることによって、隙間部１１２の形成を維持した状態で摺接（摺動）を行わせる。そして、押当部５を、当該押当部５の先端部５１が端辺１０７の位置にくるまで移動させる。【００６３】  そして、図７（ｃ）に示すように、符号Ｕに示す矢印方向（図７（ｂ）も参照）へ移動させ、押当部５の先端部５１が左ページの表面側の位置から裏面側の位置にくるように隙間部１１２の中に押当部５（先端部５１）を挿し込む。これにより、押当部５が、右ページ１０Ｒ及び左ページ１０Ｌ間の位置から、右ページ１０Ｒ及び背後ページ１００Ｒ間の位置に移動され、ページがめくられた状態となる。なお、この状態から、押当部５を左ページ１０Ｌ側へ（符号Ｖに示す矢印方向へ）移動させることにより、右ページ１０Ｒと���後ページ１００Ｒとによる見開き状態とすることができる。ただし、この押当部５の移動は、押当部５に親指Ｔを添えた（載置した）状態で親指Ｔの動きに合わせて行われてもよいし、押当部５から親指Ｔが離された状態で、支持部６による押当部５の上記ホームポジションへの復帰力（付勢力）による当該復帰の動きに合わせて行われてもよい。【００６４】  このように、図７に示す動作によって、開いた本１０の右側のページがめくられる。さらに右側へページをめくる場合は、同様に図７（ａ）〜（ｃ）の動作を繰り返せばよい。【００６５】  なお、本体部２が挟み込まれた位置のページ（ここでは中央ページ付近）から読み始めなくともよく、本１０における本体部２の挟み位置をそのまま同じ中央ページ付近の位置としておき、通常、本を読む場合のページをめくる順序、すなわち、先頭ページ（１ページ目）から当該本体部２が挟まれているページを経て最終ページまで読み進むようにページをめくっていけばよい。この場合、本１０にページめくり器１を装着した後、まず、押当部５を、親指Ｔ等の操作によって、上記先頭ページ（例えば先頭ページと表紙との間）の位置でかつホームポジション（基点１０６の上部でかつ端辺１０７より内側の位置）まで移動させておけばよい。【００６６】  上記図６、７は、右手で本を保持した状態で左右方向にページめくりを行う場合であるが、左手で本を保持した状態で左右方向にページめくりを行う場合は、左右のページに対する手（指）の向きが逆になるもののページをめくる動作は同様であり、その説明を省略する。【００６７】  上述のように、ページめくり器１を用いることによって、片手（左手又は右手）のみで本１０を保持した状態でかつ当該片手によって左右任意の方向にページをめくることが容易に行えるようになる。【００６８】  なお、上記図６、７に示すようにページめくりを行っていないとき、すなわち、本１０を読んでいるときなどには、図８に示すように、本１０を保持した手のうちの一の指（ここでは親指Ｔ）を、本１０の綴じ部１０１（基点１０６近傍）の位置に載置するなどしてページを押し開くようにして本１０を保持してもよい。このように保持した場合、支持部６（押当部５）は、一の指（親指Ｔ）の左側又は右側のいずれに配置されてもよい（図８は左側に配置されている）。このことは、左手で本１０を保持する場合も同様である。ただし、押当部５に上記一の指を載置したまま、あるいはこれ以外の場所に一の指をもってきて１０本を読んでもよい。【００６９】  ここで、上記ページめくりが行われるときの押当部５及び支持部６の動作について説明する。図９は、押当部５及び支持部６を主に示す拡大側面図である。まず、ページめくり器１が本１０に装着されると、支持部６によって支持された押当部５は、この一部又は全部が、基点１０６の上方位置でかつページの端辺１０７より内側に入った例えば位置９０１（上記ホームポジション）に配置される。ページをめくるときには、位置９０１又はこの位置９０１の前後位置において、押当部５が左右ページのうちのめくりたい側のページへ向けて傾倒されるようにして移動され、当該ページの表面に押し当てられる（押当部５が押し当てられたページを押当ペ���ジとする）。そして、押当ページを背後のページ（背後ページ）に対してずらしつつ、押当部５を、経路９０３に示すように、綴じ部１０１側に向けて、当該押し当てられたページと共に移動させる（ただし、この際、押当部５が押当ページに対して少し摺接されてもよい）。この場合、押当部５を、端辺１０７方向と平行に、あるいは、天１０２側に押し込みつつ綴じ部１０１側へ向けて移動させ、例えば位置９０２までもってくる。このように押当部５が位置９０１から位置９０２まで移動されることによって、押当ページを略距離α分だけずらすことができ、この「ずれ」によって、押当ページが位置９０２と綴じ部１０１との間で背後ページに対して浮き上がり（盛り上がり）、すなわち、山状（又は波形；１つの波）に曲げられて（褶曲して）、隙間部（隙間部１０９、１１２）が形成される。【００７０】  次に、上述のように押当部５をページ表面に押し当てて隙間部の形成を維持した状態で、この押当部５を、経路９０４に示すように、ページの端辺１０７に向けて押当ページ表面に摺接（摺動）しつつ移動させる。押当部５が、当該押当部５の先端部５１が端辺１０７の位置に到達するまで移動されると、この先端部５１が隙間部内へ（押当ページと背後ページとの間に）挿し込まれ、ページがめくられる。ただし、押当部５を隙間部に挿し込む際、押当部５を天１０２側に押して移動させる動作を行わずともよく、押当部５の先端部５１がページの端辺１０７に差し掛かった時点で、隙間部の上記曲げによる力が開放されて当該曲がった押当ページが元の状態になる（まっすぐになる）ことによって、押当部５が自動的に押当ページと背後ページとの間に入った状態となる。この後、押当部５は、経路９０５に示すように、上方でかつ天１０２側へ移動され位置９０１に復帰する。【００７１】  なお、上記位置９０１へ復帰するとき、押当部５は、当該押当部５に指（親指）が載置された状態で指の力が抜かれる（あるいは押当部５から指が離される）ことによって、支持部６による付勢力によって位置９０１に向けて移動される。【００７２】  なお、支持部６には、上述のように屈曲部６２が形成されているが、これにより、押当部５を位置９０１から位置９０２まで移動させる場合に、支持部６を外側（符号９０６に示す矢印方向）に向けて突出させるようにして曲げることが容易となり、押当部５を綴じ部１０１へ向けて移動させつつ、経路９０４のようにページの端辺１０７側に移動させる動作、すなわち、押当部５を押し下げつつ隙間部を形成し、この状態を維持しつつ押当部５を手前側に引いて移動させるといった一連の動作が行い易くなる。【００７３】  また、支持部６による押当部５の支持高さ、すなわち、押当部５と本体部２との間の長さ（距離β）に関し、この距離βが大きい場合、上記距離αを大きくすることができて隙間部が形成し易くなるものの、操作する指が押当部５に届きにくくなり、また、押当部５の支持が不安定となる（ぐらつく）こともあり、押当部５を操作しずらくなる。一方、距離βが小さい場合、押当部５に指が容易に届くようになり、また、支持がより安定することもあるものの、支持部６が曲げにくくなったり、距離αが小さくなり隙間部を形成しにくくなる��したがって、これらが考慮された好適な大きさとなるように距離βが設定されることが好ましい。ここでは、距離βが例えば親指を延ばした状態で当該親指の腹が押当部５の上部に載置できる位の大きさとなるように設定している。【００７４】  なお、上記基点１０６とは、ページめくりが行われる際、押当部５が上述のように本１０の地１０３側でかつ綴じ部１０１の位置の上方において移動操作されることから、この見開かれた本１０における地１０３側でかつ綴じ部１０１の位置を、押当部５の移動に関する基準の点と見なして設定しているものである。【００７５】  ところで、本１０を読み終えるなどして当該本１０を閉じた場合、上述のように支持部６によって押当部５が基点１０６の上方位置でかつ当該押当部５の一部又は全部がページの端辺１０７より内側に入った位置となるように（ホームポジションに復帰するように）支持されているため、図１０に示すように、押当部５が、見開いていた本１０の左右のページによって挟まれた状態となる。このように、ページめくり器１は、押当部５を、本１０を閉じるときの所謂「しおり」としても用いることができる構成となっている。次回本１０を読むときには、この押当部５が挟まっているページを開いて読み始めればよい。【００７６】  また、本１０を閉じる際、当該本１０を閉じるための特別な動作・構成を必要とせず、そのまま（ページめくり器１を本１０に装着した状態のまま）単に開いていたページを閉じればよいため、本１０をページめくり器１によって片手で保持した状態で容易に閉じることができる。【００７７】  また、本１０を上述のように容易に閉じることができるため、本１０を読み終えた後など、そのまま（ページめくり器１を介して片手で本１０を持ったまま）本１０を閉じてページめくり器１とともに鞄等の中に入れるといったように、容易にかつ迅速に（素早く）本１０及びページめくり器１を仕舞い込む（片付ける）ことができるようになる。【００７８】  さらに、ページめくり器１を装着したまま図１０に示すように本１０を閉じた状態にして上記鞄の中に仕舞い込むことができるため、この鞄の中から当該状態の本１０（及びページめくり器１）を取り出し、直ちに本１０（押当部５が挟まっているページ）を開いて読み始めるといったことを容易に行うことができる。この場合、例えば、鞄の中に手を入れて（親指以外の指で）掴持部４を掴み、押当部４に親指Ｔを添えるようにして取り出し、図２に示すように本１０を上向きに保持することにより、押当部４の両側のページを自重によって自然と見開かれた状態にしてもよい。【００７９】  このように、本１０を読むとき（ページめくりを行うとき）だけでなく、本１０を鞄の中に仕舞い込んだり、鞄の中から取り出したりする動作をも片手で行うことができるため、鞄の中から本を掴んで取り出し、本を開いてページめくるを行うなどして読んだ後、この本を閉じて再び鞄の中に仕舞い込むといった一連の動作を、始終片手のみで（一度も両手を使用することなく）行うことができる。【００８０】  次に、本発明の第２の実施形態に係るページめくり器について説明する。図１１は、本発明の第２の実施形態に係るページめくり器１ａの一例を概略的に示す斜��図である。図１におけるページめくり器１と、図１１におけるページめくり器１ａとでは下記の点で異なる。すなわち、ページめくり器１ａでは可変機構７を備えている。その他の構成は図１に示すページめくり器１と同じでありその説明を省略する。【００８１】  図１１に示すように、可変機構７は、本体部２の所定位置、例えば中央部付近に備えられており、本体部２、すなわちページめくり器１ａの長手方向の長さを変化させるものである。可変機構７は所謂継ぎ手である可変用部材７１、７２を備えており、これらが互いにスライド移動可能に係合されている。なお、可変用部材７１、７２は、上述のように本体部２の中央部付近だけに形成されずともよく、より大きな長さの変化（調節）を可能とするべく、掛止部３や掴持部４直近の位置まで形成されていてもよい。また、可変用部材７１、７２がそれぞれ連結端部７３と反対側の端部側へ延設されて、掛止部３や掴持部４と当該可変用部材７１、７２とが一体的に形成されている構成であってもよい。なお、可変機構７は、複数個設けられていてもよい。【００８２】  ここで、図１２に可変機構７の拡大図を示す（図１２は可変用部材７１、７２の連結端部７３近傍を示している）。図１２に示すように、可変用部材７１は、断面視が略紡錘形の断面形状（符号７０に示す断面図参照）をした筒状体であり、可変用部材７２は、可変用部材７１の内周形状と同じ形の外周形状を有した中実の棒状体（筒状体でもよい）である。可変用部材７１は、可変用部材７２内に嵌入（挿嵌）されており、符号Ｗに示す矢印方向に互いにスライド移動（摺動）可能に構成されている。ただし、可変用部材７１、７２は、互いの係合状態（上記嵌入状態）が容易に解除されない構造、すなわち、可変用部材７１から可変用部材７２が容易に抜脱されないための抜け防止構造を備えていてもよい。この場合、各可変用部材７１、７２の例えば連結端部７３の位置に当該抜け防止構造が形成されていてもよい。【００８３】  また、可変用部材７１、７２の断面形状は、上記形状に限らず、例えば楕円（長楕円）、菱型、三角や四角、五角以上の多角形状であってもよいし、円形状、又はこれらを組み合わせた形状であってもよい。ただし、円形状の場合、互いの軸回転を防止するための回転規制部、例えば軸方向に形成され互いに嵌合される凹凸状のレール部が形成（例えば可変用部材７１に凸状のレール部、可変用部材７２に凹状のレール部が形成）されていることが好ましい。いずれにしても、可変用部材７１、７２は、互いにスライド移動可能で、かつ軸回転しない（捻れない）形状であればよい。【００８４】  可変機構７は、上記スライド移動させて本体部２の長さを変更したときの当該長さにおける位置決めを行うための位置決め構造を備えていてもよい。この構造は、例えば一方の可変用部材に、軸方向に沿って設けられた所定数の例えば円形の窪み部（凹部）と、他方の可変用部材に、スライド移動に伴って上記凹部に順次嵌合される所定数の例えば円形の突起部（凸部；押圧が加わるとへこんだ状態になってもよい）とを備えたものであり、当該凹凸部が嵌合される位置に応じて本体部２の長さが決定される構成であってもよい。この位置決め構造は、上述のように窪み部や突起部によるものでなく、可変用部材７１、７２を精度良く（隙間なく）嵌合し、互いの摩擦力を利用して位置決めするものでもよい。【００８５】  ページめくり器１ａは、このような可変機構７を備えることによって、種々のサイズの本（天地方向の長さが異なる各本）に合わせて、本体部２の長手方向の長さを変化（調節）させることができるため、種々のサイズの本に対して好適な長さに調節して装着することができる。【００８６】  以上のように本発明のページめくり器１（１ａ）によれば、本体部２が本１０の所定のページ間でかつ綴じ部１０１の位置に挟まれ、本体部２の一端に設けられた掛止部３が本１０の天地方向における一端側（例えば天１０２側）に掛止され、また、本体部２の他端に設けられた掴持部４が本１０の天地方向における他端側（地１０３側）において左右いずれかの手によって本１０の背部１０４を支持しつつ掴持されることが可能に構成される。そして、押当部５が、手の少なくとも一の指による操作に応じて、開いた本１０の左右いずれかのページに押し当てられて、この押し当てられたページが当該押し当てられたページの背後のページに対してずらしつつ浮かせられる。また、基端が本体部２に固定された支持部６によって、開いた本１０の他端側（地１０３側）でかつ綴じ部１０１の位置を基点１０６として押当部５が任意方向に移動自在に支持される。【００８７】  このように、本体部２が本１０の所定のページ間でかつ綴じ部１０１の位置に挟まれ、本体部２の一端における掛止部３が本１０の一端側（天１０２側）に掛止されるとともに、本体部２の他端における掴持部４において、本１０の他端側（地１０３側）における背部１０４が片手によって支持されつつ当該掴持部４が掴持される構成であるため、片手のみで本１０を見開いた状態に保持し、かつこの保持した手の少なくとも一の指（例えば親指Ｔ）をフリーな状態（自由に移動させることが可能な状態）にすることが容易に行えるようになる。さらに、押当部５が、上記一の指による操作に応じて、左右いずれかのページに押し当てられて、この押し当てられたページが浮かせられ、当該押当部５が、支持部６によって、開いた本１０の他端側（地１０３側）でかつ綴じ部１０１の位置を基点１０６として任意方向に移動自在に支持される構成であるため、上記フリーな状態の指によって押当部５が操作され、ユーザがめくりたい側のページが浮かせられ、この浮かせられた箇所のページの隙間部１０９（１１２）に押当部５が挿し込まれるべく当該押当部５を移動させることができる。【００８８】  したがって、片手（左右いずれの手でもよい）のみで本を持った状態でかつ当該片手によって左右任意の方向にページをめくることを容易に行うことができるとともに、上記本体部２、掛止部３、掴持部４、押当部５及び支持部６によって構成されてより簡易な構成となり、ひいては取り扱い易いページめくり器１（１ａ）を実現することができる。【００８９】  また、支持部６によって、押当部５が基点１０６の上方位置でかつ当該押当部５の一部又は全部がページの端辺１０７より内側に入る位置に向けて付勢可能に弾性的に支持される。このように、支持部６によって押当部５が付勢されて弾��的に支持されるため、この付勢された押当部５からの反発力を利用して一の指で押当部５を押しつつ移動させることが可能となり、押当部５をページに押し当てて当該ページをずらしつつ浮かせる動作を容易に行うことができる。【００９０】  また、押当部５は指を離すと元に位置に復帰し、その復帰された位置が、基点１０６の上方位置でかつ当該押当部５の一部又は全部がページの端辺１０７より内側に入る位置、すなわち、本１０（ページ）の端部にかかる位置となるため、ページめくりを行う都度、押当部５をページ内（ページの端辺１０７より内側）に位置させるべく移動させるといった手間を省くことができるとともに、本１０を読み終えた後など、本１０を閉じた場合に押当部５が本１０のページ間に挟まった状態となり、押当部５を所謂しおりとして用いることができ、前回読んでいたページの続きから読み始めるといったことを容易に行うことができる。【００９１】  また、押当部５が、ページへの押し当て力に応じてページ面に対して摺接可能及び吸着可能に構成されるとともに、浮かされたページの隙間部１０９（１１２）に挿し込み可能に構成されてなり、支持部６によって、当該押当部５に指が載置された状態で任意方向に移動自在に支持される。【００９２】  このように、押当部５が、押し当て力に応じてページ面に摺接可能及び吸着可能とされるとともに、隙間部１０９（１１２）に挿し込み可能とされ、また、押当部５に指が載置された状態で当該押当部５が移動されるため、押当部５をページに押し当てて当該ページをずらしつつ浮かせ、この浮いたページの隙間部１０９（１１２）へ向けて押当部５を移動させ、隙間部１０９（１１２）に移動されてきたこの押当部５を当該隙間部１０９（１１２）に挿し込むといった動作を容易に行うことができる。【００９３】  また、可変機構７によって、本体部２の長手方向の長さが変化される。これにより、本１０の長さ（天地方向の長さ）に応じて、当該本１０のページ間に挟まれる本体部２の長さを変化（調節）させることができるため、種々のサイズの本１０に対して使用（適用）可能なページめくり器１（１ａ）を得ることができる。【００９４】  さらに、掛止部３が、本体部２の一端から掴持部４側に向けて延設されてなり、この掛止部３が、当該掛止部３の先端側が本１０の背部１０４に対向された状態で本の一端側（天１０２側）に掛止される。これにより、掛止部３を本１０の一端に掛止することが容易に行うことができる。なお、本発明は以下（Ａ）〜（Ｕ）の態様をとることもできる。【００９５】  （Ａ）本体部２は、２本の例えば線状体が併設されてなるものであってもよい。この２本の線状体は先端側が連結されかつ掛止部３が例えば１つ設けられており、他端側には、各線状体に対して掴持部４が設けられており、少なくともどちらか一方の線状体に支持部６と押当部５とが設けられている構成であってもよい。この場合、２本の線状体を、それぞれ本の所定ページ間に挟み込み、上述した１本の線状体の場合と同様にページめくりを行う構成であってもよい。【００９６】  （Ｂ）掛止部３は、本１０の端部に掛止される構成であればいずれの構成であってもよく、例えば、掛止部３にクリップ又は洗濯バサミのような挟み部材を設けておき、掛止部３を本１０の端部に引っ掛けつつ当該挟み部材によって本１０の端部（背部や表紙部等）を挟んで固定させるといった構成であってもよい。【００９７】  （Ｃ）掛止部３は、係合部３２のない腕部３１のみの構成であってもよい。ただし、係合部３２を備えることにより、本１０が左右又は上下方向にぐらつくのを防止でき、より安定して掛止（支持）することができる。この場合、係合部３２（又は腕部３１）と本体部２と間の距離は、掛止部３が掛止されたときに、係合部３２（又は腕部３１）が本１０の背部１０４に当接する、あるいは背部１０４に対して押圧を加えることができるような距離となっていることが好ましい。【００９８】  （Ｄ）掛止部３の係合部３２は、背部１０４の天地方向と垂直な方向の両端部が、背部１０４から本１０の表紙側に向けて、図３における符号Ｂに示す矢印方向に延びた形状であってもよいし、当該係合部３２の両端部が表紙側に向けて突没自在となる（延出したり、引っ込んだりする）突没機構を備えていてもよい。この突没機構は、例えば、係合部３２を互いにスライド移動（摺動）可能な２つの部材を備え、これら部材が、螺子等の固定部材によってスライド移動量（延出される長さ；延出量）の調節が可能に固定（螺合）される構成であってもよい。これにより、係合部３２によって背部１０４と共に左右のページ（表紙側）も支持される構成となるため、例えば、見開かれたときに左右のページが垂れ下がってしまうような中綴じ式の本や所謂フレキシブルバックの本に対しても、より安定した支持（本の保持）が行えるようになる。【００９９】  （Ｅ）掛止部３の係合部３２は、平板状でなくとも、背部１０４と対向して平面的に当接する部位を有しているものであればよく、例えば線状体が平面を形成するように例えば波状、渦巻き状に曲げられてなるものであってもよい。また、トンボや蝶等が羽を広げたような上記平面を形成する形状であってもよい。この場合、これらの形状が、腕部３１の先端側が延ばされて形成されてもよい。【０１００】  （Ｆ）掛止部３の係合部３２は平板状に形成されてなくともよく、曲がった形状、例えば正面視（断面視）が略Ｖ字状、Ｗ字状、波状、円弧状、折線状（鋸歯状）であってもよいし、あるいは平板状のものと当該曲がった形状のものとが組み合わされてなるような形状に形成されていてもよい。また、係合部３２が、背部１０４と対向する側の面（裏面）が平面状に形成されており、表面側が所定の立体形状に形成されていてもよい。例えば、係合部３２が立方体や直方体、半球体、円柱や楕円球を半分に分けたような形状等であってもよい。なお、係合部３２が上記Ｖ字状等に形成されている場合、中綴じされた雑誌等の背部が当該Ｖ字状の溝部に嵌入するように掛止部３が掛止されるため、より安定して支持できるようになる。【０１０１】  （Ｇ）押当部５は、親指以外の指、すなわち、例えば人差し指や中指によって操作されてもよい。また、押当部５は、片手における１本の指によって操作されずともよく、例えば２本の指を用いて操作されてもよい。【０１０２】  （Ｈ）押当部５は、例えば図１５に示すようにイルカ１５０のような形状であってもよい。このイルカの頭（口）部１５１側は先細に形成されてページ間の隙間に挿し込み易い形状となっており、また、背部１５２側も、指が載置し易い形状になっていることが好ましい。また、押当部５の形状は、イルカ１５０に限らず、例えば、メダカ、鯛やマグロ、河豚等の魚、イカや蛸、蛙（オタマジャクシ）、ペンギン、くじら、アザラシ（アシカ、トド）等の水生動物、犬、猫、豚、馬、パンダ、コアラ、うさぎ、リス等の陸上動物、ツバメや鳩、コウノトリ等の鳥類、蝶や蝉、蜂、カタツムリ、クワガタやカブトムシ等の昆虫、飛行機、自動車、電車（新幹線）、ロケット、宇宙船等の（輸送）機器、花や木（葉）等の植物、人物（例えば手や顔等の一部でもよい）、ダルマ等の縁起物、雪だるま、サンタクロース、所定のキャラクター、各種ロゴ等、種々の形状が採用される。いずれにしても、見ていて楽しくなるといった趣向性（又は娯楽性）やファッション性が高い外観であり、かつ操作性の高い形状が好ましい。このように、趣向性やファッション性が増し、ページめくり器に対して興味が持たれ、このページめくり器を用いて本を読もうとする人が増加し、ひいては読書離れを防ぐことができる。【０１０３】  なお、押当部５から支持部６に亘って上記各種形状が形成されてもよい。例えば、魚の頭部又は胴部側が押当部５を構成し、魚の尾鰭側が支持部６を構成するような形状であってもよい。このように、押当部５と支持部６とが一体的に形成されてもよく、この場合、押当部５と支持部６とが同じ材質（例えばゴム材や樹脂材）で形成されていてもよい。同様に、本体部２と掛止部３、ページめくり器１各部が一体的に形成されていてもよい。【０１０４】  （Ｉ）押当部５に、少なくとも、見開いた状態の本１０のページ上面を照らすことができる照明装置（ライト）が設けられてもよい。この場合、支持部６を筒状（パイプ）に形成しておき、この筒の中に照明装置用の配線を行い（電線を挿通させ）、本体部２、固定基部６又は掴持部４に電池等の電源を内蔵する構成であってもよい。また、この電源としてソーラーパネルを用いる構成であってもよい。これにより、例えば見開いたページ表面に記載されている文字等が読み難いような暗い場合においても、当該照明によって明るくされて本を読むことができるようになる。【０１０５】  （Ｊ）押当部５が蛍光材料から形成されてもよいし、表面に蛍光塗料が塗布されていてもよい。これにより、趣向性やファッション性が向上するとともに、暗い場合でも押当部５の位置が判別し易くなる。【０１０６】  （Ｋ）押当部５（あるいは押当部５と支持部６とが一体になったもの）が着脱自在に構成されていてもよく、例えばユーザがその日の気分に合わせて好みの形状の押当部５に取り替えて使用することが可能になっていてもよい。【０１０７】  （Ｌ）また、掴持部４、押当部５、又は支持部６に時計機能（例えば時間が液晶表示されるデジタル時計）を備えてもよい。【０１０８】  （Ｍ）支持部６は、弾性体からなりホームポジションに向けて付勢力（復元力）を有するものでなくともよく、押当部５を任意方向に移動可能に支持することができればよく、蛇腹（ベローズ）式のものでもよいし、複数の連結部材が線状に連結されてなり、自由に曲げることができ、この曲げられた形状を維持できるようなものであってもよい。この場合、押当部５を移動させる際、押当部５に指を載置して操作してもよいし、押当部５の所定の部位（例えば孔部や凹部）に指を引っ掛けるようにして操作してもよい。【０１０９】  （Ｎ）ページめくり器１、１ａの各部が樹脂等によって形成される場合、当該各部を、ページめくり器１、１ａが挟み込まれたり掛止されたりする本１０の綴じ部１０１や背部１０４の位置に記載されている文字や絵等が隠れて見難くならないように透明（又は半透明）の材質から構成されてもよい。【０１１０】  （Ｏ）ページめくり器１、１ａの各部（例えば本体部２や掴持部４）、あるいは各部の間（境）に所定の折り畳み機構が備えられるなどして、ページめくり器１、１ａを折り畳むことが可能に構成されていてもよい。これにより、ページめくり器１、１ａをよりコンパクトにして携帯したり、収納したりすることができる。【０１１１】  （Ｐ）可変機構７は、上記図１１、１２に示すような構成でなくともよく、図１３（ａ）に示すような構成であってもよい。すなわち、可変用部材７０１、７０２からなり、これら各部材の先端部に、相手の部材が挿嵌される溝部（又は孔部）７０３、７０４を有した係合部７０５、７０６が形成されており、当該可変用部材７０１、７０２がそれぞれ係合部７０５、７０６によって互いを摺接可能に支持して並設され（例えば互いの手で互いの腕を掴んだ状態で所謂腕組みしたような状態）、互いに符号７０７に示す矢印方向にスライド移動することによって長さが調節される構成であってもよい。【０１１２】  なお、可変用部材７０１、７０２は、互いにスライド移動可能な棒状体であればいずれの形状でもよく、例えば丸棒又は角棒であってもよい。また、係合部７０５、７０６は、この形状に限らず、例えばフランジ状（鍔部がある）のものでもよい。この場合、位置決め構造として、例えば溝部７０３、７０４の内面と、可変用部材７０１、７０２の本体部の長手方向に沿った位置とに、互いにスライド移動に応じて嵌合される凹凸部（噛み合い部）を設けてもよい。また、溝部７０３、７０４の内面にゴム材などの摩擦係数が高い滑り止め部材を取り付けておき、この滑り止め部材を介して可変用部材７０１、７０２に摺接する構成としてもよい。この場合、滑り止め部材のグリップ力によるスライド移動の抑制によって所定の長さに位置決めがなされる。【０１１３】  （Ｑ）可変機構７は、図１３（ｂ）に示すような構成であってもよい。すなわち、凹部（断面）が長手方向に沿って形成されてなるレール体７１１に、凸部（断面）が長手方向に沿って形成されてなるレール体７１２がスライド可能（摺動）に挿嵌された構成であってもよい。この場合の位置決め構造及び抜け防止構造は、上記図１１（図１２）の可変機構７の場合と同様であってもよい。また、位置決め構造として、上記変形態様と同様に、レール体７１１、７１２の凸部及び凹部に滑り止め部材を設けてもよい。なお、この凹凸部の形状は、円弧状でもよいし、角状であってもよい。【０１１４】  （Ｒ）可変機構７は、図１３（ｃ）に示すような構成であってもよい。すなわち、断面視略Ｃ字状（コ字状）のレール枠体７２１内に、棒状体７２２がスライド可能（摺動）に挿嵌された構成であってもよい。この場合、棒状体７２２の長手方向に沿って凸状のレール部７２３が形成されており、このレール部７２３の両端側（又は片端）には、押圧に応じて突没自在に構成された爪部７２４が設けられており、この爪部７２４が、レール枠体７２１の開口部の端辺に沿って所定間隔で複数個形成されてなる切欠部７２５に対し、上記スライドに応じて順次係合され、これにより、位置決め及び抜け防止がなされる構成であってもよい。【０１１５】  （Ｓ）可変機構７を、螺子構造（螺合）を利用して長さを調節する構成としてもよい。例えば、一方側（可変用部材７１に相当）が、内周面部に雌螺子が形成された円筒体、他方側（可変用部材７２に相当）が、外周面部に雄螺子が形成された棒状体（ボルト体）を備え、円筒体内に棒状体が螺合され、これにより長さ調節が行われる構成であってもよい。この場合、棒状体（雄螺子）側から円筒体に向けてナット（ダブルナット）で締付けることにより位置決めを行ってもよい。また、可変機構７を、円筒体と棒状体との２つの部材から構成するのではなく、例えば雌螺子が形成された同様の円筒体を中央部に配置し、この両側から、雄螺子が形成された２つの同様の棒状体を螺合することによって長さを調節するような、すなわち、３つの可変用部材から構成されていてもよい。もちろん４つ以上の可変用部材から構成されていてもよい。【０１１６】  （Ｔ）可変機構７における位置決め構造として、例えば一方の可変用部材に突起体を設け、他方の可変用部材に、長手方向に沿ってスリット部（溝部）を設け、このスリット部に突起体を係合させて位置決めを行う構成であってもよい。例えば図１４に示すように、筒状体７３１の長手方向に沿って、略櫛状のスリット部７３２が形成され、このスリット部７３２に対し、丸棒体７３３に突設された突起体７３４（ピン）が係合（摺接）して位置決めを行ってもよい。この場合、スリット部７３２におけるスライド用スリット７３２１に沿って符号７３５に示す矢印方向に突起体７３４がスライド移動されて長さが調節され、所定の位置決め用スリット７３２２に沿って符号７３６に示す矢印方向に軸回転及びスライド移動されて突起体７３４が係合されることによって長さが決定される。なお、筒状体７３１の代わりに例えば断面視略コ字状のレール体を用い、また、丸棒体７３３の代わりに例えば角棒体（断面が四角形状）を用いてもよい。なお、このようなスリット部７３２と突起体７３４とによって抜け防止構造が兼ねられていてもよい。【０１１７】  （Ｕ）可変機構７は、上述のようなスライド式ではなく、蛇腹（ベローズ）式に伸縮して長さ調節が可能に構成されたものであってもよい。また、折り畳んだり、折り畳んだ状態から伸長させりして長さ調節が可能に構成された例えば所謂フレキシブルアームのような形態であってもよい。
【図面の簡単な説明】
【０１１８】
【図１】  本発明の第１の実施形態に係るページめくり器の一例を示す斜視図である。
【図２】  図１に示すページめくり器が本に装着され、かつ、片手によって本が保持されている状態を示す斜視図である。
【図３】  本に掛止された状態の掛止部を示す拡大斜視図である。
【図４】  図２における、ページめくり器が本に装着され、かつ、片手によって本が保持されている状態を概略的に示す側面図である。
【図５】  押当部の拡大図である。
【図６】  右手で本を保持した状態で、開いた本の左側のページをめくる動作の一例を示す斜視図であり、（ａ）は、押当部を左ページに押し当てて隙間部を形成した状態を示す図、（ｂ）は、押当部を基点側へ向けて移動させて隙間部を大きくした状態を示す図、（ｃ）は、押当部を隙間部に挿し込んだ状態を示す図である。
【図７】  右手で本を保持した状態で、開いた本の右側のページをめくる動作の一例を示す斜視図であり、（ａ）は、押当部を右ページに押し当てて隙間部を形成した状態を示す図、（ｂ）は、押当部を基点側へ向けて移動させて隙間部を大きくした状態を示す図、（ｃ）は、押当部を隙間部に挿し込んだ状態を示す図である。
【図８】  本の綴じ部（基点近傍）の位置に指を載置してページを押し開くようにして保持した状態を示す斜視図である。
【図９】  押当部及び支持部を主に示す拡大側面図である。
【図１０】  本を閉じて押当部をページ間に挟んだ状態を示す斜視図である。
【図１１】  本発明の第２の実施形態に係るページめくり器の一例を概略的に示す斜視図である。
【図１２】  可変機構の拡大図である。
【図１３】  可変機構の変形態様を示す斜視図である。
【図１４】  可変機構の変形態様を示す斜視図である。
【図１５】  押当部の変形態様を示す側面図である。
【符号の説明】
【０１１９】１、１ａ  ページめくり器
２  本体部
３  掛止部
３１  腕部
３２  係合部
４  掴持部
５  押当部
５１  先端部
６  支持部
６１  固定基部
６２  屈曲部
７  可変機構（変化手段）
１０  本
１０Ｌ  左ページ
１０Ｒ  右ページ
１００Ｌ、１００Ｒ  背後ページ
１０１  綴じ部
１０２  天
１０３  地
１０４  背部
１０６  基部
１０７  端辺
１０９、１１２  隙間部
【図１】
2005219473.tif 000003
【図２】
2005219473.tif 000004
【図３】
2005219473.tif 000005
【図４】
2005219473.tif 000006
【図５】
2005219473.tif 000007
【図６】
2005219473.tif 000008
【図７】
2005219473.tif 000009
【図８】
2005219473.tif 000010
【図９】
2005219473.tif 000011
【図１０】
2005219473.tif 000012
【図１１】
2005219473.tif 000013
【図１２】
2005219473.tif 000014
【図１３】
2005219473.tif 000015
【図１４】
2005219473.tif 000016
【図１５】
2005219473.tif 000017